(57)【要約】【課題】髪にパーマをかける際、髪の毛を均一に加熱することができる上、高効率で、時間及びコストが少なく、使用後の洗浄が容易なパーマ用ロッドを提供する。【解決手段】パーマ用ロッド３は、本体３０と、プラグハウジング３１と、プラグ３２と、複数のクリップ３３とを備える。本体３０は、棒状体である上、複数の巻付け部３０１が両側に設けられ、ストッパ部３０４を両端に有する。巻付け部３０１は、階段状である上、互いに交差されて配置される。本体３０は、一端の側辺に形成された挿入孔３０５と、内側に形成された中空部３０６とを有する。中空部３０６は、両側に形成された係合溝３０７と、内部に設けられた加熱プレートとを有する。プラグハウジング３１は、係合溝３０７に対応する係合部３１１を両側に有する。プラグ３２は、挿入孔３０５と同じ寸法を有する。クリップ３３は、固定部３３１及び挟持部３３２を有する。【選択図】図４
0003212130.tif 000002
【実用新案登録請求の範囲】
【請求項１】
本体と、プラグハウジングと、プラグと、複数のクリップと、を備えたパーマ用ロッドであって、
前記本体は、棒状体である上、複数の巻付け部が両側に設けられ、ストッパ部を両端に有し、前記巻付け部は、階段状である上、互いに交差されて配置され、前記本体は、一端の側辺に形成された挿入孔と、内側に形成された中空部と、を有し、前記中空部は、両側に形成された係合溝と、内部に設けられた加熱プレートと、を有し、
前記プラグハウジングは、前記係合溝に対応する係合部を両側に有し、
前記プラグは、前記挿入孔と同じ寸法を有し、
前記クリップは、固定部及び挟持部を有し、
前記プラグハウジングが前記中空部に挿入され、前記プラグが前記挿入孔に挿入され、前記クリップが前記本体に挟持されることを特徴とするパーマ用ロッド。
【請求項２】
前記本体は、一端に設けた幅広端部と、他端に設けた幅狭端部と、を有し、一端が狭く他端に向かうに従い広がったテーパ状を呈することを特徴とする請求項１に記載のパーマ用ロッド。
【請求項３】
前記本体はプラスチックからなることを特徴とする請求項１に記載のパーマ用ロッド。
【請求項４】
前記巻付け部は円弧状であることを特徴とする請求項１に記載のパーマ用ロッド。
【請求項５】
前記中空部は、真空排気した後に前記プラグハウジング及び前記プラグが挿入されることを特徴とする請求項１に記載のパーマ用ロッド。
【請求項６】
前記プラグハウジング内には、一端が前記加熱プレートに接続され、他端が電源供給装置に接続されて加熱する複数の導電ピンが設けられていることを特徴とする請求項１に記載のパーマ用ロッド。
【請求項７】
前記クリップの数は２つであり、そのうち大き目の前記クリップは、幅広端部を挟持し、小さ目の前記クリップは、幅狭端部を挟持することを特徴とする請求項１に記載のパーマ用ロッド。
【考案の詳細な説明】
【技術分野】
【０００１】
本考案は、パーマ用ロッドに関するものであり、さらに詳しくは、髪にパーマをかける際、均一に加熱することができ、均一なカールを形成させると共に、パーマ時間が短縮、洗浄が容易なパーマ用ロッドに関するものである。
【背景技術】
【０００２】
図１に示すように、従来技術のパーマに使用するロッド１は、髪の先端部分から根元部分にかけてロッド１に巻き重ねてから輪ゴム１０で止めて加熱し、髪にカールをかけるように設計されたものである。
【０００３】
しかし、このような髪の毛２を巻き重ねる方式では、外側の髪の毛２が受ける熱が内側の髪の毛２より多くなるため、加熱が不均一となってカールが不均一に形成され、受熱が多い髪の先端部分がカールし易く、受熱が少ない髪の根元部分がカールし難い上、髪を固定するのに用いる輪ゴム１０が加熱されて切断し、使用できなくなる虞もあった。
【０００４】
また、髪の毛２は、頭皮の毛根から伸び始めるため、根元部分が毛先部分より健康的であるのが一般的である。しかし、髪の毛にパーマをかけると、根元部分より不健康な毛先部分が受熱により痛んだり切れ毛が生じたりすることがあった。しかし、髪の毛２が痛まないようにパーマ時間を短くすると、髪の毛のカールが十分でなくなる虞があった。
【０００５】
また、ロッド１は電気を利用して加熱し、髪の毛にパーマをかけていたため、洗浄する際、受電部が損壊することを防ぐために、直接洗浄することができず不便であった。
【考案の概要】
【考案が解決しようとする課題】
【０００６】
従って、本考案の主な課題は、髪にパーマをかける際、均一に加熱することができる上、時間及びコストが少なく、使用後の洗浄が容易なパーマ用ロッドを提供することにある。
【課題を解決するための手段】
【０００７】
そこで、本考案者は、本考案の前記課題を解決するための鋭意検討を重ねた結果、本体と、プラグハウジングと、プラグと、複数のクリップとを備えたパーマ用ロッドであって、後述の通り、それぞれ特定することにより、前記課題を解決することができることに着目し、かかる知見に基いて本考案に想到するに至った。すなわち、上記課題を解決するために、本考案の第１の形態によれば、本体と、プラグハウジングと、プラグと、複数のクリップと、を備えたパーマ用ロッドであって、前記本体は、棒状体である上、複数の巻付け部が両側に設けられ、ストッパ部を両端に有し、前記巻付け部は、階段状である上、互いに交差されて配置され、前記本体は、一端の側辺に形成された挿入孔と、内側に形成された中空部と、を有し、前記中空部は、両側に形成された係合溝と、内部に設けられた加熱プレートと、を有し、前記プラグハウジングは、前記係合溝に対応する係合部を両側に有し、前記プラグは、前記挿入孔と同じ寸法を有し、前記クリップは、固定部及び挟持部を有し、前記プラグハウジングが前記中空部に挿入され、前記プラグが前記挿入孔に挿入され、前記クリップが前記本体に挟持されることを特徴とするパーマ用ロッドが提供される。
【０００８】
前記本体は、一端に設けた幅広端部と、他端に設けた幅狭端部と、を有し、一端が狭く他端に向かうに従い広がったテーパ状を呈することが好ましい。
【０００９】
前記本体はプラスチックからなることが好ましい。
【００１０】
前記巻付け部は円弧状であることが好ましい。
【００１１】
前記中空部は、真空排気した後に前記プラグハウジング及び前記プラグが挿入されることが好ましい。
【００１２】
前記プラグハウジング内には、一端が前記加熱プレートに接続され、他端が電源供給装置に接続されて加熱する複数の導電ピンが設けられていることが好ましい。
【００１３】
前記クリップの数は２つであり、そのうち大き目の前記クリップは、幅広端部を挟持し、小さ目の前記クリップは、幅狭端部を挟持することが好ましい。
かくして、本考案の要旨は次の（１）〜（７）に記載の通りのものである。
【００１４】
（１）本体と、プラグハウジングと、プラグと、複数のクリップと、を備えたパーマ用ロッドであって、
前記本体は、棒状体である上、複数の巻付け部が両側に設けられ、ストッパ部を両端に有し、前記巻付け部は、階段状である上、互いに交差されて配置され、前記本体は、一端の側辺に形成された挿入孔と、内側に形成された中空部と、を有し、前記中空部は、両側に形成された係合溝と、内部に設けられた加熱プレートと、を有し、
前記プラグハウジングは、前記係合溝に対応する係合部を両側に有し、
前記プラグは、前記挿入孔と同じ寸法を有し、
前記クリップは、固定部及び挟持部を有し、
前記プラグハウジングが前記中空部に挿入され、前記プラグが前記挿入孔に挿入され、前記クリップが前記本体に挟持されることを特徴とするパーマ用ロッド。
【００１５】
（２）前記本体は、一端に設けた幅広端部と、他端に設けた幅狭端部と、を有し、一端が狭く他端に向かうに従い広がったテーパ状を呈することを特徴とする前記（１）に記載のパーマ用ロッド。
【００１６】
（３）前記本体はプラスチックからなることを特徴とする前記（１）に記載のパーマ用ロッド。
【００１７】
（４）前記巻付け部は円弧状であることを特徴とする前記（１）に記載のパーマ用ロッド。
【００１８】
（５）前記中空部は、真空排気した後に前記プラグハウジング及び前記プラグが挿入されることを特徴とする前記（１）に記載のパーマ用ロッド。
【００１９】
（６）前記プラグハウジング内には、一端が前記加熱プレートに接続され、他端が電源供給装置に接続されて加熱する複数の導電ピンが設けられていることを特徴とする前記（１）に記載のパーマ用ロッド。
【００２０】
（７）前記クリップの数は２つであり、そのうち大き目の前記クリップは、幅広端部を挟持し、小さ目の前記クリップは、幅狭端部を挟持することを特徴とする前記（１）に記載のパーマ用ロッド。
【考案の効果】
【００２１】
本考案は、前記の通りの構成からなり、後述の如く、髪の毛が重なりにくく、均一に加熱することができ、均一なカールを形成させることが可能である。
【図面の簡単な説明】
【００２２】
【図１】図１は、従来技術のパーマ用ロッドを示す実施例図である。
【図２】図２は、本考案の一実施形態に係るパーマ用ロッドを示す斜視図である。
【図３】図３は、本考案の一実施形態に係るパーマ用ロッドの別の角度からの斜視図である。
【図４】図４は、本考案の一実施形態に係るパーマ用ロッドを示す分解斜視図である。
【図５】図５は、本考案の一実施形態に係るパーマ用ロッドを示す実施例図（１）である。
【図６】図６は、本考案の一実施形態に係るパーマ用ロッドを示す実施例図（２）である。
【考案を実施するための形態】
【００２３】
図２〜図５を参照する。図２〜図５に示すように、本考案の一実施形態に係るパーマ用ロッド３は、少なくとも本体３０と、プラグハウジング３１と、プラグ３２と、複数のクリップ３３と、から構成されてなる。本体３０は、棒状体である上、複数の巻付け部３０１が両側に設けられている。巻付け部３０１は、階段状である上、互いに交差させて配置されている。本体３０は、一端に設けた幅広端部３０２と、他端に設けた幅狭端部３０３と、を有し、一端が狭く他端に向かうに従い広がったテーパ状を呈し、両端にストッパ部３０４がそれぞれ設けられる。幅広端部３０２の一側には、挿入孔３０５が形成され、内側に中空部３０６が形成されている。中空部３０６は、両側に係合溝３０７が形成されるとともに、内部に加熱プレートが設けられている。プラグハウジング３１の両側には、本体３０の係合溝３０７に対応する係合部３１１が形成されている。プラグ３２は、本体３０の挿入孔３０５と同じ寸法を有する。クリップ３３は、固定部３３１及び挟持部３３２を有する。プラグハウジング３１は、本体３０の中空部３０６に挿入される。プラグ３２は、本体３０の挿入孔３０５に挿入される。クリップ３３は、本体３０に挟持される。
【００２４】
本実施形態の本体３０は、プラスチックからなる上、巻付け部３０１及び中空部３０６を有する。巻付け部３０１は円弧状である。中空部３０６は、真空排気した後にプラグハウジング３１及びプラグ３２が挿入される。
【００２５】
プラグハウジング３１内には、複数の導電ピン３１２が設けられ、一端が本体３０の加熱プレートに接続され、実際に使用する際、他端が電源供給装置（図示せず）に接続され、パーマ作業に必要な加熱を行う。
【００２６】
本実施形態を実際に使用し、本体３０の巻付け部３０１に髪の毛２を巻き重ねる際、髪の毛２の根元から本体３０の幅狭端部３０３へ向かって巻き重ね、幅広端部３０２へ向かって毛先に至るまで交互に螺旋状に巻き重ね、巻き重ねが完了した後にクリップ３３を使用して挟持し、髪の毛２が外れることを防ぐ。クリップ３３の数は２つであり、そのうち大き目のクリップ３３は、本体３０の幅広端部３０２を挟持し、小さ目のクリップ３３は、本体３０の幅狭端部３０３を挟持する。
【００２７】
幅狭端部３０３には、髪の毛２の根元部分が巻き重ねられ、根元部分が毛先部分より健康的であるため、多めかつ大き目にカールを形成することができ、幅広端部３０２の毛先のカールが小さ目に形成されるため、根元部分より不健康な毛先部分が痛むことを防ぎ、髪の毛２がパーマ用ロッド３に交差するように螺旋状に巻き重ねられているため、各髪の毛２が重なりにくく、均一に分散されて巻き重ねられているため、均一に加熱され、パーマ作業が完了した後に迅速に冷却することができるため、作業時間を短縮することができる。
【００２８】
図６を参照する。図６に示すように、本考案の他の実施形態に係るパーマ用ロッドには、２束の髪の毛２が同時に巻き重ねられ、一方の束が時計回りで交互に巻き重ねられ、他方の束が逆時計回りで巻き重ねられているため、パーマにかかる作業時間が大幅に短縮され、使用するパーマ用ロッド３の数も減らすことができる。
【符号の説明】
【００２９】
１  ロッド
２  髪の毛
３  パーマ用ロッド
１０  輪ゴム
３０  本体
３１  プラグハウジング
３２  プラグ
３３  クリップ
３０１  巻付け部
３０２  幅広端部
３０３  幅狭端部
３０４  ストッパ部
３０５  挿入孔
３０６  中空部
３０７  係合溝
３１１  係合部
３１２  導電ピン
３３１  固定部
３３２  挟持部
【図１】
0003212130.tif 000003
【図２】
0003212130.tif 000004
【図３】
0003212130.tif 000005
【図４】
0003212130.tif 000006
【図５】
0003212130.tif 000007
【図６】
0003212130.tif 000008